(57)【要約】【課題】  空気の良好な流れを生成して効果的な排熱を実現でき、更に機器の搭載スペースを減らすことなく設置できるラック用補助ファンを提供する。【解決手段】  複数のファン１ａを組み込んだファンユニット１の左右に、ファンユニット１を前後動可能とするレール部２ａを設け、このレール部２ａの前後端部にラックのマウントレールに取り付けるための連結片２ｂを設けた。ファンユニット１は、レール部２ａの長さに対して約５分の１の奥行きで形成し、レール部２ａの前後端部に設けた連結片２ｂは、ラック３のマウントアングルの裏面にネジ止めして連結される。【選択図】  図１
2012235067.tif 000002
【特許請求の範囲】
【請求項１】
上方へ向けて空気の流れを生成するファンと、ラックに前記ファンを取り付けるための左右一対の取付手段とを備えたラック用補助ファンであって、
前記ファンは横長に形成された箱体に組み込まれる一方、前記取付手段は前記箱体の左右側部において前後方向に延びた棒状体であり、当該棒状体の前後端部にラックに取り付けるための連結片を有し、
前記箱体は、着脱操作或いは摺動により前後方向に位置を変更可能に前記棒状体に連結されてなることを特徴とするラック用補助ファン。
【請求項２】
前記棒状体は前記箱体を摺動可能なレール部で構成されたことを特徴とする請求項１記載のラック用補助ファン。
【請求項３】
前記箱体は、前記棒状体の長さに対して３分の１以下の奥行きで形成されて成ることを特徴とする請求項１又は２記載のラック用補助ファン。
【請求項４】
前記連結片は、ラックの左右に配設されている機器搭載のためのマウントアングルのネジ孔に合致するよう形成されたネジ孔を備え、前記マウントアングルの裏面に配置してネジ止め可能であることを特徴とする請求項１乃至３の何れかに記載のラック用補助ファン。
【発明の詳細な説明】
【技術分野】
【０００１】
本発明はラックに搭載された機器の発熱を抑制するために、ラック内に設置して排熱を促す補助ファンに関する。
【背景技術】
【０００２】
サーバ等の発熱する機器を搭載したラックは、通常強制冷却するための冷却ファンが底面或いは天面に取り付けられている。底面に冷却ファンを取り付けたものは、床下から冷気を導入して搭載した機器を冷却する場合に有効であり、天面に冷却ファンを取り付けたものは、ラック周囲の空間の空気を導入して冷却する場合有効である（例えば、特許文献１参照）。
しかし、近年の搭載機器の発熱量の増加やラック搭載密度の上昇に伴い、最下部或いは最上部にファンを取り付けただけでは、十分に機器を冷却できない場合が発生し、部分的に冷却したり、効果的な空気の流れを発生させるために補助ファンをラック内に設置する場合がある。
図６、図７はこのような従来の構成を示し、図６は補助ファンの斜視図、図７はラックに取り付けた状態の平面図であり、４１が補助ファン、４２はラック、４３は機器を取り付けるマウントアングルである。この図６，図７に示すように、ラック４２に搭載される機器と同様に、補助ファン４１はラックマウント型で構成され、搭載機器の発熱部位を直接冷却したり、排熱を促すよう使用される。
【先行技術文献】
【特許文献】
【０００３】
【特許文献１】特開２００８−２６３１３４号公報
【発明の概要】
【発明が解決しようとする課題】
【０００４】
上述した補助ファン４１を取り付けることで、搭載機器が部分的に高熱になる事態を防止することができた。しかしながら、機器を多段に搭載したラック４２の場合、機器の発熱を効果的に下げるには、空気を滞留させることなく効率良く冷気と入れ替える必要あるが、空気の良好な流れを作るには十分ではなかった。
また、補助ファン４１は機器搭載スペースを使用するため、取り付けることで搭載する機器を減らすことになったし、図６に示すように補助ファン４１を取り付ける際には支持部材４４を必要とし、前面の左右端部以外でも支持する必要があった。
【０００５】
そこで、本発明はこのような問題点に鑑み、空気の良好な流れを生成して効果的な排熱を実現でき、更に機器の搭載スペースを減らすことなく設置できるラック用補助ファンを提供することを目的としている。
【課題を解決するための手段】
【０００６】
上記課題を解決する為に、請求項１の発明は、上方へ向けて空気の流れを生成するファンと、ラックに前記ファンを取り付けるための左右一対の取付手段とを備えたラック用補助ファンであって、前記ファンは横長に形成された箱体に組み込まれる一方、前記取付手段は前記箱体の左右側部において前後方向に延びた棒状体であり、当該棒状体の前後端部にラックに取り付けるための連結片を有し、前記箱体は、着脱操作或いは摺動により前後方向に位置を変更可能に前記棒状体に連結されてなることを特徴とする。
この構成によれば、補助ファンはラック内において前後に移動させることができるため、搭載機器の大きさや配置によらず、加熱された空気の排気路の位置に合わせて空気の流れを生成でき、効果的な排熱を行うことが可能となる。また、取付手段の前後端部をラックに連結するので、取り付けるにあたり別途固定部材を必要としない。
【０００７】
請求項２の発明は、請求項１に記載の構成において、前記棒状体は前記箱体を摺動可能なレール部で構成されたことを特徴とする。
この構成によれば、箱体は、取り外すことなく任意の位置に移動させることができるし、ラック内に形成される排熱路の最適位置にファンを配置することができる。
【０００８】
請求項３の発明は、請求項１又は２に記載の構成において、前記箱体は、前記棒状体の長さに対して３分の１以下の奥行きで形成されて成ることを特徴とする。
この構成によれば、箱体の奥行きがラック内の空間に対して小さいため、局部的なエリアで空気の流れを生成できる。よって、ラック内に形成された排熱路に合わせて下方の空気を上方に効果的に送り出すことができる。
【０００９】
請求項４の発明は、請求項１乃至３の何れかに記載の構成において、前記連結片は、ラックの左右に配設されている機器搭載のためのマウントアングルのネジ孔に合致するよう形成されたネジ孔を備え、前記マウントアングルの裏面に配置してネジ止め可能であることを特徴とする。
この構成によれば、マウントアングルの裏面にラック用補助ファンの連結片を配置することで、前面側に機器のマウント部を配置することができ、共締めすることで搭載機器と一体に補助ファンを設置することができる。よって、ファンを設置しても搭載機器を削減する必要がない。
【発明の効果】
【００１０】
本発明によれば、補助ファンはラック内において前後に移動させることができるので、搭載機器の大きさや配置によらず、排気流路の位置に合わせて空気の流れを生成でき、効果的な排熱を行うことが可能となる。また、取付手段の前後端部をラックに連結するので、取り付けるにあたり別途固定部材を必要としない。
そして、ラックのマウントアングルを介して、前面側に機器のマウント部を配置して裏面にラック用補助ファンの連結片を配置して共締めすることで、搭載機器と一体にファンを設置することができ、ファンを設置しても機器を削減しなくて済む。
【図面の簡単な説明】
【００１１】
【図１】本発明に係るラック用補助ファンの一例を示し、（ａ）は斜視図、（ｂ）はＡ部拡大図である。
【図２】補助ファンを機器と共に取り付ける様子を示す説明図である。
【図３】補助ファンを組み付けたラックの斜視説明図である。
【図４】図３の搭載状態の平面説明図である。
【図５】補助ファンを組み付けたラックの他の形態を示す平面説明図である。
【図６】従来のラック用補助ファンの斜視図である
【図７】図６の補助ファンを取り付けたラックの平面説明図である。
【発明を実施するための形態】
【００１２】
以下、本発明を具体化した実施の形態を、図面を参照して詳細に説明する。図１は本発明に係るラック用補助ファンの一例を示し、（ａ）は斜視図、（ｂ）はＡ部拡大図である。図１に示すようにラック用補助ファン１０は、複数のファン１ａ，１ａ，・・で構成されるファンユニット１と、ラックに取り付けるためにファンユニット１の左右側部に組み付けたレール状の取付部材２とで構成され、ラック内に形成される排熱路の位置に合わせてファンユニット１を矢印で示す前後に移動して設置できるよう構成されている。
【００１３】
ファンユニット１は、この実施形態では３個のファン１ａ，１ａ，１ａを横一列に配置した横長の箱体であり、下方の空気を上方に送出するよう組み付けられている。取付部材２は、前後に長い棒状のレール部２ａと、このレール部２ａの両端に設けた連結片２ｂとで構成され、左右の取付部材２，２は対称に形成されている。
レール部２ａは、鋼板をＣ字状に折り曲げた断面四角形の棒状筒体で構成され、１辺にスリット状の案内溝２１が一様に形成されている。この案内溝２１にファンユニット１の側部が係合して摺動可能となっている。
【００１４】
ファンユニット１のレール部２ａに当接する左右側面には、前後２カ所に案内溝２１を介してレール部２ａに係合する図示しない係合突起を有し、更に摺動した位置で固定するための例えばナットから成る図示しない固定手段を係合突起と共に備えている。また、レール部２ａの長さＬ１（この長さＬ１は、後述するラックのマウントアングル６とリアマウントアングル７の間の距離でもある）に対して、ファンユニット１の奥行きＬ２を約５分の１とし、ファンユニット１がラック内において局所的に空気の流れを生成できるよう構成されている。
【００１５】
一方、連結片２ｂは図１（ｂ）に示すように、レール部２ａの両端に固着された舌状片２２を側方（外側）に折り曲げて形成されている。具体的に、レール部２ａの長さ方向に対して舌状片２２を直角に折り曲げて形成され、連結片２ｂには取付対象にネジ止めするためのネジ孔２３が複数形成されている。
【００１６】
このように構成された補助ファン１０をラックに取り付ける様子を図２に示している。図２において、５は搭載される機器（ハーフサイズの機器）を示し、補助ファン１０を機器５と共にラックのマウントアングル６に取り付ける様子を示している。
機器５は、左右に設けられたマウント部５ａをラックのマウントアングル６の前面にネジ８によりネジ止めして搭載される。そして、補助ファン１０がこの機器５の搭載に合わせて、機器５のマウント部５ａに対峙するマウントアングル６の背面に、前側の連結片２ｂを配置して、同一のネジ８により共締めされてマウントアングル６に連結される。
尚、レール部２ａの後方に設けられた他方の連結片２ｂは、ラック後方に配置されているリアマウントアングル７（図３に示す）にネジ止めにより連結される。
【００１７】
図３は、こうして補助ファン１０をラックに取り付けた状態を示している。図３において３がラックであり、ラック３を各面を閉塞する前面扉３１、背面扉３２、左右側板３３，３４、天板３５を分離した状態の斜視説明図で示している。図３に示すように、左右のマウントアングル６，６及び左右のリアマウントアングル７，７にそれぞれネジ止めされた補助ファン１０のファンユニット１は、ラック３内で前後に移動でき、任意の位置で固定できる。
【００１８】
そして、図４はラック中央に補助ファン１０を取り付けた状態の平面説明図であり、ハーフサイズの機器５を搭載した場合の配置を示している。また、図５はフルサイズの機器１５が搭載されたラック３に補助ファン１０を取り付けた状態を示す平面説明図を示している。尚、ハーフサイズの機器５は、フルサイズの機器の約２分の１の奥行きで形成された機器であり、ハーフサイズの機器５が搭載される場合、図４に示すように通常ラック３の背面からも搭載される。
【００１９】
図４に示すように、ハーフサイズの機器５が搭載されている場合、ラック３の中央部に排熱路となる空間が形成されるため、この中央部にファンユニット１を配置することで、効果的に排熱を行うことができる。また図５に示すように、フルサイズの機器１５が搭載された場合は、ファンユニット１は後方に配置することで、排熱路となる機器１５の背部空間に合わせて設置することができる。
【００２０】
尚、図４，図５に示すように補助ファン１０を機器５，１５と共に取り付ける場合は、図２に示すように機器５，１５が取り付けられるマウントアングル６の背面に補助ファン１０の前側の連結片２ｂが配置されて機器５，１５と共にネジ８で共締めされる。また、リアマウントアングル７の背面に後側の連結片２ｂが配置されて、ネジ８で機器５と共締め、或いは単独でネジ止めされる。
【００２１】
このように、補助ファン１０はラック３内において前後に移動させることができるので、搭載機器５，１５の大きさや配置によらず、排気流路の位置に合わせて空気の流れを生成でき、効果的な排熱を行うことが可能となる。また、取付部材２の前後端部をラック３に連結するので、取り付けるにあたり別途固定部材を必要としない。
また、ファンユニット１は摺動して移動できるので、任意の位置に移動させることができ、ラック３内に形成される排熱路の最適位置にファンユニット１を配置することができる。
更に、レール部２ａの長さに対してファンユニット１の奥行きを約５分の１としたので、箱体の奥行きがラック３内の空間に対して十分小さく、局部的なエリアで空気の流れを生成できる。よって、ラック３内に形成された排熱路に合わせて下方の空気を上方に効果的に送り出すことができる。
また、機器５，１５を搭載した空間であっても、マウントアングル６の前面側に機器５のマウント部５ａを配置して、裏面にラック用補助ファン１０の連結片２ｂを配置してネジ８で共締めすることで、搭載機器５，１５と一体にファン１ａを設置することができる。よって、ファン１ａを設置しても搭載機器を削減する必要がない。
【００２２】
尚、上記実施形態では、ファンユニット１の奥行きをレール部２ａの長さの約５分の１としているが、３分の１程度まで大きくしても良い。３分の１まで拡大しても、ラック３の中央に排熱空間が形成された場合や後方に排熱空間が形成された場合に、機器５，１５を冷却するための空気の流れを良好に作り出すことができる。
また、取付部材２にレール部２ａを設けて、ファンユニット１を前後に摺動可能として任意の位置に移動できるよう構成しているが、取付部材２を単純な棒状体として所定間隔で複数の係止孔等の係止部を設ける構成としても良い。この場合、ファンユニット１の左右側部をこの係止部の何れかに係止するよう構成すれば、着脱操作により所定間隔で移動させることができ、形成された排熱路に合わせてファンユニット１を配置することができる。
【符号の説明】
【００２３】
１・・ファンユニット（箱体）、１ａ・・ファン、２・・取付部材（取付手段）、２ａ・・レール部、２ｂ・・連結片、３・・ラック、５・・機器、５ａ・・マウント部、６・・マウントアングル、７・・リアマウントアングル、１０・・ラック用補助ファン、１５・・機器。
【図１】
2012235067.tif 000003
【図２】
2012235067.tif 000004
【図３】
2012235067.tif 000005
【図４】
2012235067.tif 000006
【図５】
2012235067.tif 000007
【図６】
2012235067.tif 000008
【図７】
2012235067.tif 000009